(57)【要約】【課題】汎用性を持たせた緩衝機能付パレットとして利用できる物品運搬具を提供する。【解決手段】パレット１、パレット１上に載せて物品運搬時等にパレット１や物品に加わる振動や衝撃等を吸収する緩衝部材２、緩衝部材２上に配置して物品を乗せるためのボード材３とからなる。パレット１は、４つの隅部８を区画して緩衝部材２を収納するために窪ませてある。隅部８内に、衝撃検出機構として検出部１０を形成する。検出部１０は、穴１１と所定の衝撃力で破損する検出部材１２からなる。緩衝部材２は隅部８に収納でき、検出部１０と対応位置に穴１３を有し、ボード材３の突起１４が貫通可能である。過大な衝撃を受けると緩衝部材２が撓み、突起１４が穴１３を貫通して検出部材１２を破損させることで、運搬中に過大な衝撃が加わったことが分かる。【選択図】　　　　図１
2004099150.tif 000002
【特許請求の範囲】
【請求項１】
物品を運搬するためのパレットと、該パレット上に載置して物品運搬時、荷扱い時、保管時等の振動、衝撃等を吸収するための緩衝部材と、該緩衝部材上に配して物品を乗せるためのボード材とからなり、上記パレット上面に、少なくとも上記緩衝部材を嵌め込む凹部を設けてなることを特徴とする物品運搬具。
【請求項２】
請求項１の物品運搬具において、上記凹部を上記パレット面上での物品の荷重点とその近傍を含むように複数分割配置し、上記緩衝部材と上記ボード材とを上記凹部に対応させて分割してなることを特徴とする物品運搬具。
【請求項３】
請求項１または２の物品運搬具において、上記ボード材の下面に突部を設け、上記緩衝部材に該突部を受け入れる穴を設け、上記パレットに上記突部等との当接で過衝撃が加わった際に破壊される部位を設けてなることを特徴とする物品運搬具。
【請求項４】
請求項１ないし３のいずれかの物品運搬具において、上記緩衝部材を上記パレット及び上記ボード材に非固着状態で組み合わせてなることを特徴とする物品運搬具。
【発明の詳細な説明】
【０００１】
【発明の属する技術分野】
本発明は、物品運搬具に関し、詳細には物品運搬時における物品保護性を向上させたものに関する。
【０００２】
【従来の技術及び発明が解決しようとする課題】
精密物品や壊れやすい物品を単にパレット面上に乗せただけで製造工場から設置場所まで運搬すると、たとえ梱包してあっても運搬の間に物品がダメージを被ることが多い。例えば、フォークリフトによる荷扱い、トラックや鉄道等での輸送で、物品には大きな緩衝や振動が加わり、これがダメージを引き起こす。特に、トラック輸送時には、道路事情により予測以上の加速度を伴う振動が生じ、物品に大きな損傷が起き、これにより廃棄せざるを得ないような状況が発生する。このような事態は、製造メーカに大きな損害を与える。
【０００３】
こうした点からパレット自体に緩衝機能を持たせ、物品に加わる衝撃の吸収と振動の吸収性を高めることが強く要望されるようになってきている。
【０００４】
また、包装物が輸送段階でどの程度の衝撃等を受けたかは物品に加速度計を取り付けて計測するのが一般的であるが、すべての包装物につけることは現実的でなく、かつ費用も莫大になる。一方、過衝撃を受ける確率はかなり低いが、過衝撃を受けることはないとも言えない。そのため各包装設計者は、予想以上の衝撃が加わったために物品が損傷したと問題発生時に断言できないのが現状であると思われる。
【０００５】
本発明は、このような従来の問題点にかんがみ、汎用性を持たせた緩衝機能付パレットとして利用できる物品運搬具を提供することを目的とする。
【０００６】
また本発明は、輸送中の過衝撃が安価に検出できる物品運搬具を提供することを目的とする。
【０００７】
【課題を解決するための手段】
本発明の請求項１に係る物品運搬具は、上記目的を達成するために、物品を運搬するためのパレットと、該パレット上に載置して物品運搬時、荷扱い時、保管時等の振動、衝撃等を吸収するための緩衝部材と、該緩衝部材上に配して物品を乗せるためのボード材とからなり、上記パレット上面に、少なくとも上記緩衝部材を嵌め込む凹部を設けてなることを特徴とする。
【０００８】
同請求項２に係るものは、上記目的を達成するために、請求項１の物品運搬具において、上記凹部を上記パレット面上での物品の荷重点とその近傍を含むように複数分割配置し、上記緩衝部材と上記ボード材とを上記凹部に対応させて分割してなることを特徴とする。
【０００９】
同請求項３に係るものは、上記目的を達成するために、請求項１または２の物品運搬具において、上記ボード材の下面に突部を設け、上記緩衝部材に該突部を受け入れる穴を設け、上記パレットに上記突部等との当接で過衝撃が加わった際に破壊される部位を設けてなることを特徴とする。
【００１０】
同請求項４に係るものは、上記目的を達成するために、請求項１ないし３のいずれかの物品運搬具において、上記緩衝部材を上記パレット及び上記ボード材に非固着状態で組み合わせてなることを特徴とする。
【００１１】
【発明の実施の形態】
以下本発明の実施の形態を図面を参照して説明する。
図１は本発明に係る物品運搬具の一実施形態を示す分解斜視図（Ａ）と要部断面図（Ｂ）、図２は緩衝部材とボード材の組み合わせ構造を示す分解斜視図（Ａ）と組み合わせた状態での断面図（Ｂ）である。本実施形態の運搬具は、物品（図示せず）を乗せて運搬するためのパレット１と、パレット１上に載せて物品運搬時、荷扱い時あるいは保管時等にパレット１や物品に加えられる振動や衝撃等を吸収するための緩衝部材２と、緩衝部材２上に配置して物品を乗せるためのボード材３とからなる。
【００１２】
パレット１は、側面にフォークリフトのフォーク４を挿入して持ち上げ得るようにするための溝部５、５を備え、上面を仕切り６で中央部７と４つの略Ｌ字状の平面形状を有する隅部８・・・に区画して形成したものである。中央部７は外周側縁と同じ高さを有するが、隅部８は緩衝部材２を収納するために窪ませてある。また隅部８内には、衝撃検出機構として、所定の荷重を受けたことを検出するための検出部１０が形成してある。この検出部１０は、例えば図示の実施形態では隅部８の底面に穴１１を設け、その上に衝撃を受けると破損する検出部材１２を載置して構成する。この検出部１０としては、例えば検出部材１２に相当する部位を細い梁状部位でその周りの隅部８に連結する構造等、種々公知の構造を採用可能である。なお検出部１０は隅部８それぞれに設けてもよいし、どれか一つの隅部８に設けても、あるいは二つ以上の隅部８にも受けても、いずれでもよい。
【００１３】
緩衝部材２は、発泡樹脂材やゴム材等々の衝撃吸収性を有する素材からなり、パレット１の隅部８に対応させた略Ｌ字状の平板形状を有し、４つの隅部８内にそれぞれひとつずつすっぽりと収納できるようになっている。またパレット１の検出部１０と対応する位置に穴１３を設けてあり、後述するボード材３の突起が貫通可能になっている。
【００１４】
ボード材３は、緩衝部材２と対応する形状を有し、同じく４つの隅部８内にそれぞれひとつずつすっぽりと収納できるようになっている。ボード材３上には直接的に物品やその支持体、保持体が乗るので、その荷重を受け得る素材を用いることはもちろんである。またボード材３の下面には緩衝部材２の穴１３と対応する位置に突起１４が設けてあり、穴１３に挿入できるようになっている。
【００１５】
緩衝部材２の穴１３とボード材３の突起１４の寸法関係は、図２（Ｂ）に示すように、ある値に設定した衝撃を受けたときに緩衝部材２が撓む量の最大値分ｈだけ、突起１４のほうを短くするとよい。
【００１６】
なお図示の実施形態では緩衝部材２の穴１３とボード材３の突起１４を、緩衝部材２とボード材３がそれぞれ二つずつ有し、ボード材３上に搭載した物品から受ける衝撃を平均的に検出部１０へ伝えられるようにしてある。また緩衝部材２とボード材３は、接着などで固着してもよいし、単に穴１３と突起１４を嵌め込むだけとしてもよい。このことで物品の耐強度の強弱や輸送環境に則した緩衝能力に増減できる。なおパレット１に対して緩衝部材２を接着などで固定してもよいが、固定しないことで緩衝部材２やボード材３の交換、補修等が簡単に行えて便利であり、汎用性も高まる。
【００１７】
図３を参照して上述のように構成した物品運搬具の動作を説明する。
本実施形態の物品運搬具に物品を載せて運搬する際に、振動などで衝撃が掛かると、緩衝部材２が撓み、衝撃を吸収しようとするが、衝撃量が大きくて緩衝部材２が最大撓み量ｈ以上に撓むと、突起１４が穴１３を貫通して検出部１０の検出部材１２に当たり、検出部材１２が衝撃力により破壊される。そのため、輸送段階である程度以上の衝撃等を受けたことが簡単に判明する。繰り返し使用するときは、機構的に非常に簡便なものなので、多くの場合に破壊された検出部材１２を取り替えるだけで済み、コスト等を低く抑えられる。
【００１８】
また既述のように、緩衝特性を物品や運搬形態に簡単に合わせ得るようにして汎用性を持たせてあるので、搭載する物品の質量や製品強度等に応じて緩衝部材２やボード材３を交換、追加等すればよい。すなわち、大きさや形状、包装形態が異なる物品を同一構成の物品運搬具で輸送したり、取り扱ったりでき、作業効率が向上する。また、いわゆる循環型の包装として繰り返し使用する上でも機種の生産量の違いによる物品運搬具の台数管理等の複雑さも緩和される。
【００１９】
異なる大きさや形状の物品を扱う場合も同様である。例えばパレット面上の緩衝部材２が少なくともパレット１の上面の四隅部分をカバーし、かつ複数分割配置とするので、物品の荷重点（物品のゴム足部等）とその近傍を効率的に支持できる。
【００２０】
また本実施形態の物品運搬具を、いわゆる循環型包装形態の緩衝機能付パレットとしても捉えれば、長期間の使用も考えられる。その場合、使用回数に応じて緩衝機能や損傷程度等をチェックする必要が生じるが、上述のように緩衝材の固定を必要最小限に留めておけば、長期使用も問題なく行え、緩衝部材２の定期的なメンテナンスの時間も短くて済み、作業も容易である。
【００２１】
なお搭載する物品のなかには荷重点が均等に配分されていないものもかなり有ることが考えられる。したがって図示の実施形態のように緩衝部材２やボード材３を４分割してもよいし、バランス良く緩衝部材２を配置し衝撃時の物品の暴れを少なくできれば、２分割またはその他の分割形態を採用してもよい。ボード材３や緩衝部材２を分割にすることで、搭載する物品の質量バランスに起因する緩衝特性対応性も容易に向上させ得る。
【００２２】
【発明の効果】
請求項１に係る物品運搬具は、以上説明してきたようなものなので、物品の質量や製品強度に応じて緩衝部材等を交換、追加等して緩衝特性を合わせやることができ、汎用性を持つものになるるという効果がある。またそのため、種々の物品に対して対応でき、作業効率の向上が図れ、繰り返し使用の場合の台数管理等の複雑さを緩和できるという効果がある。
【００２３】
請求項２に係る物品運搬具は、以上説明してきたようなものなので、搭載する物品の荷重点とその近傍を効率的に支持できるという効果がある。
【００２４】
請求項３に係る物品運搬具は、以上説明してきたようなものなので、物品の輸送中の過衝撃を簡単かつ安価な機構で検出でき、輸送環境についての問題検討、事前評価（包装貨物試験）に有効であるという効果がある。
【００２５】
請求項４に係る物品運搬具は、以上説明してきたようなものなので、緩衝部材やボード材の交換、補修等が簡単に行え、汎用性がいっそう高まるという効果がある。
【図面の簡単な説明】
【図１】本発明に係る物品運搬具の一実施形態を示す分解斜視図（Ａ）と要部断面図（Ｂ）である。
【図２】図１の実施形態の緩衝部材とボード材の組み合わせ構造を示す分解斜視図（Ａ）と組み合わせた状態での断面図（Ｂ）である。
【図３】図１の実施形態で過衝撃を受けた際の状態を示す断面図である。
【符号の説明】
１　パレット
２　緩衝部材
３　ボード材
４　フォークリフトのフォーク
５　溝部
６　仕切り
７　パレットの中央部
８　同隅部
１０　検出部
１１　穴
１２　検出部材
１３　緩衝部材の穴
１４　ボード材の突起
ｈ　緩衝部材の最大撓み量
【図１】
2004099150.tif 000003
【図２】
2004099150.tif 000004
【図３】
2004099150.tif 000005